(57)【要約】【課題】冷蔵庫に保管する際、食料品にはその種類によって、汁が漏れやすい、ニオイやすい、割れやすい、ニオイが移りやすい、湿りやすいなどの特性があり、それに応じて、ラップで密封、ポリ袋で密封、取り扱いに注意、蓋をきちんと閉めるなどの対策をする必要がある。【解決手段】食料品１０に添付され食料品の情報を含む無線ＩＣタグ１１から、情報を読み取る読取手段２と、使用者に指示をする指示手段５と、前記情報を解析して前記指示手段５を制御する制御手段４とを具備し、汁が漏れやすい、ニオイやすい、割れやすい、ニオイが移りやすい、湿りやすいなど食料品の特性に応じて、冷蔵庫がラップで密封、ポリ袋で密封、取り扱いに注意、蓋をきちんと閉めるなどの対策を、文字あるいは音声で前記指示手段５より使用者に指示するようにした。【選択図】図１
2006170463.tif 000002
【特許請求の範囲】
【請求項１】
食料品に添付され前記食料品の保管方法に関する情報を含む無線ＩＣタグから、情報を読み取る読取手段と、使用者に指示をする指示手段と、前記情報を解析して前記指示手段を制御する制御手段とを具備し、前記無線ＩＣタグから読み取った保管方法を、前記指示手段より文字あるいは音声あるいは絵図で使用者に指示することを特徴とする冷蔵庫。
【請求項２】
食料品に添付され前記食料品のＩＤに関する情報を含む無線ＩＣタグから、情報を読み取る読取手段と、使用者に指示をする指示手段と、前記情報を解析して前記指示手段を制御する制御手段とを具備し、前記ＩＤに関する情報に基づいて前記読取手段がネットワーク経由で情報サーバに蓄積された第２の情報を取得し、前記制御手段が前記第２の情報に含まれた前記食料品の保管方法を、前記指示手段より文字あるいは音声あるいは絵図で使用者に指示することを特徴とする冷蔵庫。
【請求項３】
食料品に添付され前記食料品の種類または特性に関する情報を含む無線ＩＣタグから、情報を読み取る読取手段と、使用者に指示をする指示手段と、前記情報を解析して前記指示手段を制御する制御手段とを具備し、前記制御手段がデータベースより前記食料品の種類または特性に対応した保管方法を選択し、前記保管方法を、前記指示手段より文字あるいは音声あるいは絵図で使用者に指示することを特徴とする冷蔵庫。
【請求項４】
食料品に添付され前記食料品のＩＤに関する情報を含む無線ＩＣタグから、情報を読み取る読取手段と、使用者に指示をする指示手段と、前記情報を解析して前記指示手段を制御する制御手段とを具備し、前記ＩＤに関する情報に基づいて前記読取手段がネットワーク経由で情報サーバに蓄積された第２の情報を取得した後、前記制御手段がデータベースより前記第２の情報に含まれた食料品の種類または特性に対応した保管方法を選択し、前記保管方法を、文字あるいは音声あるいは絵図で前記指示手段より使用者に指示することを特徴とする冷蔵庫。
【請求項５】
過去に読み取った無線ＩＣタグの情報を記憶しておくための記憶手段を具備し、読取手段が無線ＩＣタグの情報が前記記憶手段に記憶されていない新規情報であると判断した時にだけ前記情報を制御手段に伝達することを特徴とする請求項１〜４のいずれか１項記載の冷蔵庫。
【請求項６】
食料品の出し入れのためのドアと、前記ドアの開閉を検知して開閉状態を読取手段に伝達する開閉スイッチを具備し、前記ドアが開いている時にだけ無線ＩＣタグの読取手段を動作させることを特徴とする請求項１〜５のいずれか１項記載の冷蔵庫。
【請求項７】
請求項１〜６のいずれか記載の冷蔵庫において少なくともひとつの機能をコンピュータに実行させるためのプログラム。
【発明の詳細な説明】
【技術分野】
【０００１】
本発明は、食料品に添付された無線ＩＣタグを利用した冷蔵庫に関するものである。
【背景技術】
【０００２】
近年、非接触で情報を読み出すことが出来る無線ＩＣタグが注目を集め、無線ＩＣタグの冷蔵庫への応用がさまざまなところで検討されており、特許文献１のように、商品情報には、品目、賞味期限、価格などの情報を無線ＩＣタグに記憶させて冷蔵庫内の食料品管理を行う方式が考案されている。
【特許文献１】特開２００４−１５６７９２号公報
【発明の開示】
【発明が解決しようとする課題】
【０００３】
しかしながら、こういった方式では食料品の賞味期限の把握など食材の利用方法に関することが記述されているが、食料品の保管方法という最も基本的な事項に関する記述はなく、食料品の適切な保管という観点では不十分である。食料品にはその種類によって、汁が漏れやすい、ニオイやすい、割れやすい、ニオイが移りやすい、湿りやすいなどの特性があり、それに応じて、ラップで密封、ポリ袋で密封、取り扱いに注意、蓋をきちんと閉めるなどの対策をする必要がある。これを怠ると、冷蔵庫内を汁で汚したり、場合によっては冷蔵庫を故障させてしまう恐れがある。さらに使用者にとっても不都合があり、魚介類、納豆、漬物、切干大根、玉ねぎ、にんにく、大根おろしなどのにおいやすい食料品に対して適切な処理をせずに冷蔵庫に入れてしまうと、冷蔵庫を開けた途端、不快な悪臭に悩まされることになる。特に大切な来客時などに使用者がこうむるマイナスイメージはかなり大きいといえる。
【０００４】
これらに加えて、食料品に対するダメージも大きく、前述のにおいやすい食料品に適切な処理をせず、さらに牛乳、生クリーム、チーズ、ごはん、パン、豆腐、ケーキなどの、においを吸収しやすい食料品に対しても適切な対策をせずに一緒に冷蔵庫に入れてしまうと、においやすい食料品のにおいがにおいを吸収しやすい食料品に移ってしまうことになり、例えば納豆くさいショートケーキが出来てしまったりして、食料品の品質を著しく劣化させてしまう。
【課題を解決するための手段】
【０００５】
そこで、前記の課題を解決するために、本発明の冷蔵庫、および、そのプログラムは、食料品に添付され前記食料品の情報を含む無線ＩＣタグから、情報を読み取る読取手段と、使用者に指示をする指示手段と、前記情報を解析して前記指示手段を制御する制御手段とを具備し、汁が漏れやすい、ニオイやすい、割れやすい、ニオイが移りやすい、湿りやすいなど食料品の特性に応じて、冷蔵庫がラップで密封、ポリ袋で密封、取り扱いに注意、蓋をきちんと閉めるなどの対策を、文字あるいは音声あるいは絵図で前記指示手段より使用者に指示するようにした。
【発明の効果】
【０００６】
これにより、本発明の冷蔵庫は、食料品の種類によって、汁が漏れやすい、ニオイやすい、割れやすい、ニオイが移りやすい、湿りやすいなど特性があっても、それに応じて、ラップで密封、ポリ袋で密封、取り扱いに注意、蓋をきちんと閉めるなどの対策を冷蔵庫が使用者に指示するので、使用者の無知やうっかりミスによるトラブルを回避でき、冷蔵庫内を汁で汚したり、冷蔵庫を故障させてしまうこともなくなる。さらに魚介類、納豆、漬物、切干大根、玉ねぎ、にんにく、大根おろしなどのにおいやすい食料品に対しても適切な対策をするよう指示するので、冷蔵庫を開けた途端、不快な悪臭に悩まされることもなくなる。これらに加えて、牛乳、生クリーム、チーズ、ごはん、パン、豆腐、ケーキなどの、においを吸収しやすい食料品に対しても適切な対策をするように指示するので、におい移りによる食料品の品質劣化をさけることが可能となる。
【発明を実施するための最良の形態】
【０００７】
第１の発明は、食料品に添付され前記食料品の保管方法に関する情報を含む無線ＩＣタグから、情報を読み取る読取手段と、使用者に指示をする指示手段と、前記情報を解析して前記指示手段を制御する制御手段とを具備し、前記無線ＩＣタグから読み取った保管方法を、前記指示手段より文字あるいは音声あるいは絵図で使用者に指示するようにした。
【０００８】
これにより、ラップで密封、ポリ袋で密封、取り扱いに注意、蓋をきちんと閉めるなどの保管方法を冷蔵庫が使用者に指示するので、使用者の無知やうっかりミスによるトラブルを回避でき、冷蔵庫内を汁で汚したり、冷蔵庫を故障させてしまうことがなくなる。さらに、魚介類、納豆、漬物、切干大根、玉ねぎ、にんにく、大根おろしなどのにおいやすい食料品に対しても適切な保管方法を指示するので、冷蔵庫を開けた途端、不快な悪臭に悩まされることもなくなる。加えて、牛乳、生クリーム、チーズ、ごはん、パン、豆腐、ケーキなどの、においを吸収しやすい食料品に対しても適切な保管方法を指示するので、におい移りによる食料品の品質劣化をさけることが出来る。
【０００９】
第２の発明は、食料品に添付され前記食料品のＩＤに関する情報を含む無線ＩＣタグから、情報を読み取る読取手段と、使用者に指示をする指示手段と、前記情報を解析して前記指示手段を制御する制御手段とを具備し、前記ＩＤに関する情報に基づいて前記読取手段がネットワーク経由で情報サーバに蓄積された第２の情報を取得し、前記制御手段が前記第２の情報に含まれた前記食料品の保管方法を、前記指示手段より文字あるいは音声あるいは絵図で使用者に指示するようにした。
【００１０】
これにより、無線ＩＣタグの情報に食料品の保管方法に関する情報が含まれておらず、単なるコード番号のようなＩＤ情報しか含まれない場合でも、このＩＤ情報を元にネットワーク上の情報サーバにアクセスして、食料品の保管方法を含む第２の情報を取得するので、第１の発明と同様の効果を得ることが出来る。
【００１１】
第３の発明は、食料品に添付され前記食料品の種類または特性に関する情報を含む無線ＩＣタグから、情報を読み取る読取手段と、使用者に指示をする指示手段と、前記情報を解析して前記指示手段を制御する制御手段とを具備し、制御手段がデータベースより前記食料品の種類または特性に対応した保管方法を選択し、前記保管方法を、文字あるいは音声あるいは絵図で前記指示手段より使用者に指示するようにした。
【００１２】
これにより、無線ＩＣタグの情報に食料品の保管方法が含まれていなかった場合でも、食料品の種類、または特性に関する情報を元に、データベースからその食料品の種類、または特性に対応する保管方法を選択することで、第１の発明と同様の効果を得ることが出来る。
【００１３】
第４の発明は、食料品に添付され前記食料品のＩＤに関する情報を含む無線ＩＣタグから、情報を読み取る読取手段と、使用者に指示をする指示手段と、前記情報を解析して前記指示手段を制御する制御手段とを具備し、前記ＩＤに関する情報に基づいて前記読取手段がネットワーク経由で情報サーバに蓄積された第２の情報を取得した後、前記制御手段がデータベースより前記第２の情報に含まれた食料品の種類、または特性に対応した保管方法を選択し、前記保管方法を、文字あるいは音声あるいは絵図で前記指示手段より使用者に指示するようにした。
【００１４】
これにより、無線ＩＣタグの情報に食料品の保管方法に関する情報が含まれておらず、単なるコード番号のようなＩＤ情報しか含まれない場合でも、このＩＤ情報を元にネットワーク上の情報サーバにアクセスして、第２の情報を取得する。この第２の情報に含まれた、食料品の種類、または特性に関する情報を元に、データベースからその食料品の種類、または特性に対応する保管方法を選択することで、第１の発明と同様の効果を得ることが出来る。
【００１５】
第５の発明は、第１〜４のいずれかの発明の冷蔵庫において、過去に読み取った無線ＩＣタグの情報を記憶しておくための記憶手段を具備し、読取手段が無線ＩＣタグの情報が前記記憶手段に記憶されていない新規情報であると判断した時にだけ前記情報を制御手段に伝達するようにした。
【００１６】
これにより、すでに冷蔵庫内に存在する食料品は無視して、新しく持ち込まれた食料品だけを対象として、第１の発明と同様の動作をさせるので、効率的に指示を行うことが可能となる。なお、無線ＩＣタグはすべてユニークな情報が書かれていることを前提にしている。
【００１７】
第６の発明は、第１〜５のいずれかの発明の冷蔵庫において、食料品の出し入れのためのドアを具備し、前記ドアが開いている時にだけ無線ＩＣタグの読取手段を動作させるようにした。これにより、食料品を出し入れする時にだけ、有効に作用するので効率的に指示を行えると共に、省エネルギが期待できる。
【００１８】
第７の発明は、第１〜６のいずれかの発明の冷蔵庫において、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１９】
以下、本発明の実施の形態について、図面を用いて一実施形態について詳細に説明する。なお、この実施の形態によって本発明が限定されるものではない。
【００２０】
（実施の形態１）
図１は本発明の冷蔵庫の構成一例を示す図である。
【００２１】
冷蔵庫１は、読取手段２、記憶手段３、制御手段４、指示手段５、データベース６、開閉スイッチ７、ドア８を具備している。これによって、無線ＩＣタグ１１が添付された食料品１０を冷蔵庫１に収納する際に、無線ＩＣタグ１１の情報を読取手段２が読み取る。無線ＩＣタグ１１の情報にその無線ＩＣタグが添付されている食料品の保管方法に関する情報を含んでいるので、制御手段３は、無線ＩＣタグ１１から読み取った食料品１０に関する保管方法の情報を用いて、指示手段４から、その食料品の保管方法の指示を使用者に対して行う。
【００２２】
なお、ここで述べている食料品の保管方法とは、例えばラップで密封、ポリ袋で密封、取り扱いに注意、蓋をきちんと閉めるといった保管の際に必要な手段である。
【００２３】
指示手段からの指示は、文字あるいは音声あるいは絵図や図柄で行うことを想定しているが、それ以外の光や振動で注意を喚起するということであっても構わない。指示は、冷蔵庫内の食料品全てに関する指示をくまなく、繰り返し行って、使用者に絶えず知らせるといった指示をしても構わないし、時間的に定期的に指示をしても構わないし、特定の食料品だけを対象として指示をしても構わない。
【００２４】
また、無線ＩＣタグ１１から読み取った情報に、食料品１０を示す単なるコード番号のようなＩＤ情報しか含まれない場合には、読取手段２がＩＤ情報を元にネットワーク２０を経由して、情報サーバ３０にアクセスして、情報サーバ３０より食料品の保管方法を含む第２の情報を取得する。その結果、この第２の情報を制御手段４が受けることにより、前記同様の動作を行う。特に食料品に添付されるような低価格の無線ＩＣタグは小容量、かつ読み出し専用であるので、コード番号しか含まれていない可能性が高い。
【００２５】
ネットワーク２０はインターネットであって、情報サーバは外部のサーバであっても構わないし、ネットワーク２０が家庭内ＬＡＮであって、情報サーバが家庭内、あるいは、冷蔵庫１の中にあっても、もちろん構わない。
【００２６】
あるいはまた、無線ＩＣタグ１１から読み取った情報に、食料品の種類、または特性に関する情報だけが含まれていた場合には、制御手段４がデータベース６から、その食料品の種類、または特性に対応した保管方法を探し出して、同様の指示を行うことが出来る。データベース６は、食料品の種類、または特性に応じて保管方法を対応させた簡単な対応表であってもかまわない。
【００２７】
上記で述べたように、無線ＩＣタグ１１から読み取った情報に、食料品１０を示す単なるコード番号のようなＩＤ情報しか含まれない場合には、読取手段２がＩＤ情報を元にネットワーク２０を経由して、情報サーバ３０にアクセスして、情報サーバ３０より第２の情報を取得する。しかしながら、この第２の情報に食料品の種類、または特性に関する情報だけが含まれていた場合にも、上記と同様に、制御手段４がデータベース６から、その食料品の種類、または特性に対応した保管方法を探し出して、同様の指示を行うことが出来る。
【００２８】
また、読取手段２が一旦読み取った無線ＩＣタグの情報を記憶手段３に記憶しておいて、読み取った無線ＩＣタグの情報が前記記憶手段に記憶されていない新たな情報であると判断した時にだけ、その情報を制御手段４に送る、あるいは、制御手段４と指示手段５を動作させるようにして、既に指示をした食料品は無視して、新たに冷蔵庫に持ち込まれた新規の食料品だけを対象としても構わない。
【００２９】
さらに食料品の出し入れをするドア８に連動する開閉スイッチ７を設けておいて、開閉スイッチ７からの開閉情報を読取手段２が取得して、ドア８が開いている時にだけ、読取手段２または制御手段４または指示手段５を動作させるようにしても構わない。開閉スイッチはバネの力でドア８に押されて接点状態が変わるものであっても構わない。
【００３０】
食料品１０の出し入れの際には、使用者が必ずドア８を開けるので、このドア８の開閉状態に応じて動作させることで、使用者が冷蔵庫のそばにいるときにだけ指示手段から指示しても構わない。
【００３１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００３２】
また、ここでは冷蔵庫を用いて説明してきたが、必ずしも冷蔵庫に限定する理由はなく、食品に限定する理由もなく、密封性のある保管庫、棚、ロッカーのような貯蔵庫であっても適用可能であり、においのする薬品であっても構わない。
【産業上の利用可能性】
【００３３】
以上のように、本発明の冷蔵庫は、食料品に添付され前記食料品の情報を含む無線ＩＣタグから、情報を読み取る読取手段と、使用者に指示をする指示手段と、前記情報を解析して前記指示手段を制御する制御手段とを具備し、汁が漏れやすい、ニオイやすい、割れやすい、ニオイが移りやすい、湿りやすいなど食料品の特性に応じて、冷蔵庫がラップで密封、ポリ袋で密封、取り扱いに注意、蓋をきちんと閉めるなどの対策を、文字あるいは音声で前記指示手段より使用者に指示するようにした。
【図面の簡単な説明】
【００３４】
【図１】本発明の冷蔵庫の構成一例を示す図
【符号の説明】
【００３５】
１  冷蔵庫
２  読取手段
３  記憶手段
４  制御手段
５  指示手段
６  データベース
７  開閉スイッチ
８  ドア
１０  食料品
１１  無線ＩＣタグ
２０  ネットワーク
３０  情報サーバ
【図１】
2006170463.tif 000003